(57)【要約】【課題】ボタンをハイライトさせた状態でズーム機能を用いる際、ユーザにズーム機能に関する情報を与えるようにする。【解決手段】メニュー画面などを表示する際、ボタン１をハイライト表示した状態でズームさせると、「この場面でズームするとハイライトがずれてしまいます。」という警告文３をＯＳＤ表示する。この後、ボタン１をズームさせることにより、予めズームする際の不具合をユーザに明確に報知することができる。【選択図】図１
2008054074.tif 000002
【特許請求の範囲】
【請求項１】
少なくともＤＶＤビデオ規格に準じた主映像データとサブピクチャデータを独立してデコードするとともに、前記サブピクチャデータとしてボタン群から一つボタンを選択した際にハイライト表示させるハイライト表示機能と、前記サブピクチャデータの表示倍率を変更するズーム機能とを具備する光ディスク再生装置において、前記ボタンをハイライト表示させた状態でズーム機能を選択した際、ボタンのハイライト表示がズレる旨の警告表示を表示画面に重畳させたことを特徴とするズーム機能を備えた光ディスク再生装置。
【請求項２】
少なくともＤＶＤビデオ規格に準じた主映像データとサブピクチャデータを独立してデコードするとともに、前記サブピクチャデータとしてボタン群から一つボタンを選択した際にハイライト表示させるハイライト表示機能と、前記サブピクチャデータの表示倍率を変更するズーム機能とを具備する光ディスク再生装置において、前記ボタンをハイライト表示させた状態でズーム機能を選択した際、そのボタンを所定時間ズームさせた後、ボタンの表示倍率を戻す旨の警告表示を表示画面に重畳させ、かつ、所定時間経過後、ズームしたボタンの表示倍率を初期値に戻すように縮小表示させたことを特徴とする光ディスク再生装置。
【請求項３】
少なくともＤＶＤビデオ規格に準じた主映像データとサブピクチャデータを独立してデコードするとともに、前記サブピクチャデータとしてボタン群から一つボタンを選択した際にハイライト表示させるハイライト表示機能と、前記サブピクチャデータの表示倍率を変更するズーム機能とを具備する光ディスク再生装置において、前記ボタンをハイライト表示させた状態でズーム機能を選択した際、ハイライト表示したボタン領域をハイライト非表示となるように初期表示に戻してからズームさせるとともに、ズームの解除を促す警告表示を表示画面に重畳させたことを特徴とするズーム機能を備えた光ディスク再生装置。
【請求項４】
少なくともＤＶＤビデオ規格に準じた主映像データとサブピクチャデータを独立してデコードするとともに、前記サブピクチャデータとしてボタン群から一つボタンを選択した際にハイライト表示させるハイライト表示機能と、前記サブピクチャデータの表示倍率を変更するズーム機能とを具備する光ディスク再生装置において、前記ボタンをハイライト表示させた状態でズーム機能を選択した際、ハイライト表示された位置を検出し、そのハイライトしたボタンを除く他のボタンをズームさせたことを特徴とするズーム機能を備えた光ディスク再生装置。
【発明の詳細な説明】
【技術分野】
【０００１】
本発明は、ＤＶＤ（デジタルバーサタイルディスク）にＤＶＤビデオ規格に基づいて記録されたようなサブピクチャが拡大表示可能なズーム機能を備えた光ディスク再生装置に関する。
【背景技術】
【０００２】
従来、ＤＶＤビデオ規格においては、主映像データとは別に、例えば字幕などのいわゆるサブピクチャが記録されている。また、光ディスクＤＶＤ規格の再生装置では、ビデオタイトルなどのメニュー表示や各種の設定あるいはゲーム等のアイテムの選択決定機能としてボタンをサブピクチャとして表示している。このような、ボタンの選択時及び／又は決定時にボタンをハイライト表示して識別する技術が特許文献１で開示されている。
【０００３】
また、主映像とは独立したサブピクチャ、例えば字幕の表示倍率を変更したいという要求に対してサブピクチャの倍率変換を行なえる技術も種々提案されているが、サブピクチャ（文字、記号、ボタン等）の拡大処理を行ったときに、前述したように、サブピクチャがハイライト表示されている場合、サブピクチャに関しては、独立して拡大処理などを行うことができるが、ハイライトは、制御方法が全く別であり、主映像とともに出力される情報であるため、サブピクチャを拡大すると、このサブピクチャによる文字、記号などがハイライトの領域からはみ出してしまうことがある。そこで、特許文献２には、ハイライトの管理情報を監視する手段と、サブピクチャの加工処理の設定情況を監視する手段と、ハイライトの管理情報の監視結果により、前記サブピクチャの表示倍率加工処理を制御する手段とを具備し、ハイライトが存在するときに、サブピクチャ倍率制御をオフし、ハイライトが存在しないときは、サブピクチャ倍率制御をオンするように構成したサブピクチャ表示倍率の制御装置が開示されている。
【０００４】
【特許文献１】特開２０００−１３２９５３号公報
【特許文献２】特開２００２−３３５４９６号公報
【発明の開示】
【発明が解決しようとする課題】
【０００５】
特許文献２に示すサブピクチャ表示倍率の制御装置においては、サブピクチャがハイライト表示させているか否かを監視し、サブピクチャがハイライト表示されている場合、サブピクチャの倍率変更ができないように制御するものであり、ハイライトの表示、非表示でズームを許可する場合とズームを禁止する場合とが存在することから、このような機能を知らないユーザは、故障などの不具合なのか判断がつかず混乱を招く虞れがあった。
【０００６】
本発明は上述した問題点に鑑みてなされたものであり、ボタンをハイライトさせた状態でズーム機能を用いる際、ユーザに要望に従ってズームを行った上、ズーム機能に関する情報を与え、無用な混乱を回避することができるズーム機能を備えた光ディスク再生装置を提供することを第１の目的とする。
また、本発明はボタンをハイライトさせた状態でズーム機能を用いる際、ボタンとハイライトとのずれないようにハイライトしたボタンのみのズーム機能を制限してユーザに無用な混乱を与えることを回避することができるズーム機能を備えた光ディスク再生装置を提供することを第２の目的とする。
【課題を解決するための手段】
【０００７】
請求項１のズーム機能を備えた光ディスク再生装置は、少なくともＤＶＤビデオ規格に準じた主映像データとサブピクチャデータを独立してデコードするとともに、前記サブピクチャデータとしてボタン群から一つボタンを選択した際にハイライト表示させるハイライト表示機能と、前記サブピクチャデータの表示倍率を変更するズーム機能とを具備する光ディスク再生装置において、前記ボタンをハイライト表示させた状態でズーム機能を選択した際、ボタンのハイライト表示がずれる旨の警告表示を表示画面に重畳させたことを特徴とする。
【０００８】
請求項１の構成により、メニュー画面などにおいてユーザがボタンの選択を行う際、まず、メニュー画面の表示となったときには、ズーム要求があるか否かの情報を取得し、ズーム要求がある場合、ボタンのハイライト情報を取得する。ここで、ハイライト情報がある場合、「この場面でズームするとハイライトがずれてしまいます。」などの警告表示を行う。
【０００９】
請求項２のズーム機能を備えた光ディスク再生装置は、少なくともＤＶＤビデオ規格に準じた主映像データとサブピクチャデータを独立してデコードするとともに、前記サブピクチャデータとしてボタン群から一つボタンを選択した際にハイライト表示させるハイライト表示機能と、前記サブピクチャデータの表示倍率を変更するズーム機能とを具備する光ディスク再生装置において、前記ボタンをハイライト表示させた状態でズーム機能を選択した際、そのボタンを所定時間ズームさせた後、ボタンの表示倍率を戻す旨の警告表示を表示画面に重畳させ、かつ、所定時間経過後、ズームしたボタンの表示倍率を初期値に戻すように縮小表示させたことを特徴とする。
【００１０】
請求項２の構成により、メニュー画面などにおいてユーザがボタンの選択を行う際、まず、メニュー画面の表示となったときには、ズーム要求があるか否かの情報を取得し、ズーム要求がある場合、ボタンのハイライト情報を取得する。ここで、ハイライト情報がある場合、「ハイライトがずれてしまうため元の画像に戻します。」などの警告表示を行った後、所定時間経過後（例えば５秒）、ズームを解除し、ボタンを初期値の倍率に戻す。
【００１１】
請求項３のズーム機能を備えた光ディスク再生装置は、少なくともＤＶＤビデオ規格に準じた主映像データとサブピクチャデータを独立してデコードするとともに、前記サブピクチャデータとしてボタン群から一つボタンを選択した際にハイライト表示させるハイライト表示機能と、前記サブピクチャデータの表示倍率を変更するズーム機能とを具備する光ディスク再生装置において、前記ボタンをハイライト表示させた状態でズーム機能を選択した際、ハイライト表示したボタン領域をハイライト非表示となるように初期表示に戻してからズームさせるとともに、ズームの解除を促す警告表示を表示画面に重畳させたことを特徴とする。
【００１２】
請求項３の構成により、メニュー画面などにおいてユーザがボタンの選択を行う際、まず、メニュー画面の表示となったときには、ズーム要求があるか否かの情報を取得し、ズーム要求がある場合、ボタンのハイライト情報を取得する。ここで、ハイライト情報がある場合、ボタンのハイライトを消した元の状態に戻してからズームし、この後、ズームの解除を促す警告表示を行う。
【００１３】
請求項４のズーム機能を備えた光ディスク再生装置は、少なくともＤＶＤビデオ規格に準じた主映像データとサブピクチャデータを独立してデコードするとともに、前記サブピクチャデータとしてボタン群から一つボタンを選択した際にハイライト表示させるハイライト表示機能と、前記サブピクチャデータの表示倍率を変更するズーム機能とを具備する光ディスク再生装置において、前記ボタンをハイライト表示させた状態でズーム機能を選択した際、ハイライト表示された位置を検出し、そのハイライトしたボタンを除く他のボタンをズームさせたことを特徴とする。
【００１４】
請求項４の構成により、メニュー画面などにおいてユーザがボタンの選択を行う際、管理情報からハイライトされたボタンの位置を検出し、ハイライトされているボタン以外のボタンのみをズームさせる。
【発明の効果】
【００１５】
請求項１のズーム機能を備えた光ディスク再生装置によれば、少なくともＤＶＤビデオ規格に準じた主映像データとサブピクチャデータを独立してデコードするとともに、前記サブピクチャデータとしてボタン群から一つボタンを選択した際にハイライト表示させるハイライト表示機能と、前記サブピクチャデータの表示倍率を変更するズーム機能とを具備する光ディスク再生装置において、前記ボタンをハイライト表示させた状態でズーム機能を選択した際、ボタンのハイライト表示がずれる旨の警告表示を表示画面に重畳させたことにより、ボタンをハイライトさせた状態でズーム要求がある場合、ユーザにズームするとハイライトがずれる旨の警告を与えることで、ユーザは機械的な故障であるか否かを明確に判断することができ、ユーザに無用な混乱を与えることを防止することができる。
【００１６】
請求項２のズーム機能を備えた光ディスク再生装置によれば、少なくともＤＶＤビデオ規格に準じた主映像データとサブピクチャデータを独立してデコードするとともに、前記サブピクチャデータとしてボタン群から一つボタンを選択した際にハイライト表示させるハイライト表示機能と、前記サブピクチャデータの表示倍率を変更するズーム機能とを具備する光ディスク再生装置において、前記ボタンをハイライト表示させた状態でズーム機能を選択した際、そのボタンを所定時間ズームさせた後、ボタンの表示倍率を戻す旨の警告表示を表示画面に重畳させ、かつ、所定時間経過後、ズームしたボタンの表示倍率を初期値に戻すように縮小表示させたことにより、ズームした際に起こる状況を伝えることで無用な混乱を回避することができる。
【００１７】
請求項３のズーム機能を備えた光ディスク再生装置によれば、少なくともＤＶＤビデオ規格に準じた主映像データとサブピクチャデータを独立してデコードするとともに、前記サブピクチャデータとしてボタン群から一つボタンを選択した際にハイライト表示させるハイライト表示機能と、前記サブピクチャデータの表示倍率を変更するズーム機能とを具備する光ディスク再生装置において、前記ボタンをハイライト表示させた状態でズーム機能を選択した際、ハイライト表示したボタン領域をハイライト非表示となるように初期表示に戻してからズームさせるとともに、ズームの解除を促す警告表示を表示画面に重畳させたことにより、ハイライトしたボタンを元の状態に戻してからズームすることで、視覚的にボタンとハイライトとのずれを防止することができるとともに、ズーム後の操作状況を伝えることで無用な混乱を回避することができる。
【００１８】
請求項４のズーム機能を備えた光ディスク再生装置によれば、少なくともＤＶＤビデオ規格に準じた主映像データとサブピクチャデータを独立してデコードするとともに、前記サブピクチャデータとしてボタン群から一つボタンを選択した際にハイライト表示させるハイライト表示機能と、前記サブピクチャデータの表示倍率を変更するズーム機能とを具備する光ディスク再生装置において、前記ボタンをハイライト表示させた状態でズーム機能を選択した際、ハイライト表示された位置を検出し、そのハイライトしたボタンを除く他のボタンをズームさせたことにより、視覚的にボタンとハイライトとのずれを防止することができる。
【発明を実施するための最良の形態】
【００１９】
以下、本発明の具体的実施例について、添付図面を参照しながら説明する。なお、以下の実施態様は、本発明を具体化する際の一形態であって、本発明をその範囲内に限定するためのものではない。
【実施例１】
【００２０】
図１及び図２は本発明の実施例１を示し、図１はメニュー画面の表示状態を示す参考図、図２はフローチャートを示している。本実施例における光ディスク再生装置は、図示はしないが、光ディスク（ＤＶＤ）を回転駆動する駆動手段と、光ディスクに記憶された情報を読み取る光ピックアップと、回転するディスクの記録面に対して半径方向に光ピックアップを平行移動させる光ピックアップの駆動手段を備え、光ディスクに記憶される信号を光ピックアップによって光学的に読み取り、電気的な信号に変換し、ＤＶＤ規格に対応した復調が行なわれる従来から周知の構造である。
【００２１】
光ディスクに記録される映像信号、音声信号、副映像のそれぞれは、ビデオストリーム、オーディオストリーム、サブピクチャストリームとしてパック化されており、これらのパック化されたストリームは、パックを単位として、プログラムストリーム上に時分割方式で多重化されている。また、このプログラムストリーム上には、再生の制御を行う再生制御情報（ＰＣＩ：Ｐｒｅｓｅｎｔａｔｉｏｎ  Ｃｏｎｔｒｏｌ  Ｉｎｆｏｒｍａｔｉｏｎ）が挿入されている。
【００２２】
再生制御情報（ＰＣＩ）には、メニュー画面の表示に関する情報であるハイライト情報が含まれている。そして、ハイライト情報には、ボタンに対応付けられた番号を示す情報、ボタンに対応付けられた動作を示す情報、ボタンの数を示す情報、ボタンの色を示す情報、等が含まれており、メニュー画面の表示となるときには、前記ハイライト情報に基づき、図示しないＯＳＤ部（オンスクリーンディスプレイ）によって、図１に示すように、選択肢となる９つのボタン１を、指示された位置および大きさ及び指示された色を用いて表示する。
【００２３】
次に図２のフローチャートを参照して、メニュー画面のボタン表示を行う際の動作を説明する。まず、メニュー画面の表示となったときには、ズーム要求があるか否かの情報を取得し（ステップＳ１）、ズーム要求がある場合、ボタン１のハイライト情報を取得する（ステップＳ２）。次いで、ハイライト情報がある場合、「この場面でズームするとハイライトがずれてしまいます。」の警告文３をＯＳＤ表示した後（ステップＳ３）、ボタン１をズームする（ステップＳ４）。これにより、図１（ａ）に示すようにズームしない状態において１番のボタン１をハイライトした状態からズームすると図１（ｂ）に示すようにボタン１ａが拡大表示され、１番のボタン１からハイライト２がズレて表示される。このように、メニュー画面での選択時にボタン１ａとハイライト２とがズレた状態では選択操作に支障を来たすことから、ユーザがボタン１ａの倍率を戻す操作などを行うことで（ステップＳ５）、ボタン１とハイライトが一致した状態となる。
【００２４】
以上のように、本実施例においては、１番〜９番のボタン１の何れかをハイライトしている状態においてズーム機能を使用する際、予めボタン１とハイライト２とずれる旨の警告文３をＯＳＤ表示することにより、ユーザにズームする際の不具合を明確に把握させことができ、ユーザが無用な混乱を招く心配がない。
【実施例２】
【００２５】
図３及び図４は本発明の実施例２を示し、図３はメニュー画面の表示状態を示す参考図、図４はフローチャートを示している。本実施例においては、図４のフローチャートに示すように、まず、メニュー画面の表示となったときには、ズーム要求があるか否かの情報を取得し（ステップＳ１０）、ズーム要求がある場合、図３（ａ）で示すようにズームを実行する（ステップＳ１１）。次にボタン１のハイライト情報を取得し（ステップＳ１２）、ハイライト情報がある場合、「ハイライトがずれてしまうため元の画像に戻します。」の警告文３をＯＳＤ表示する（ステップＳ１３）。この後、所定時間経過後（例えば５秒）、ズームを解除し（ステップＳ１４）、ボタン１ａが初期値の倍率に戻すことにより（ステップＳ１５）、図３（ｂ）に示すように、ボタン１とハイライト２とを一致させる。これにより、前記実施例１と同様、ズームする際の不具合をユーザに明確に表示することができる。
【実施例３】
【００２６】
図５は本発明の実施例３を示すメニュー画面の表示状態を示す参考図であり、同図に示すように、ボタン１にハイライト２が存在している状態でズーム操作を行った場合、ハイライト２の表示を消した状態でボタン１をズームさせる。この時、「メニューを選択したい場合はズームを解除してください。」などの警告文３をＯＳＤ表示する。これにより、前記各実施例と同様、ズームする際の不具合をユーザに明確に表示することができる。
【実施例４】
【００２７】
図６及び図７は本発明の実施例４を示し、図６はＤＶＤに記録されたボタン位置情報の概略を示す説明図、図７はシステムのパラメータを示す説明図である。本実施例においては、メニュー画面において、ボタンがハイライトされている場合、ハイライト位置を検出し、ハイライトされているボタン以外をズームさせる。この時、ハイライトされているボタンをズームさせることなく、初期の大きさを維持し、ハイライトしていないボタンをズームさせる。すなわち、ハイライト情報は、図６（Ａ）に示す再生制御情報（ＰＣＩ）に記述され、図６（Ｂ）は再生制御情報（ＰＣＩ）の内容を示すもので、ＰＣＩ一般情報（ＰＣＩ＿ＧＩ）、ノンシームレス用アングル情報（ＮＳＭＩ＿ＡＧＬＩ）、ハイライト情報（ＨＬＩ）、記録情報（ＲＥＣＩ）が記述されている。
【００２８】
ハイライト情報（ＨＬＩ）には、図６（Ｃ）に示すハイライト一般情報、ボタン・カラー情報テーブル、ボタン情報テーブルが記述されている。ボタン情報テーブルには、図６（Ｅ）に示すボタンの数を示すボタン情報が記述され、その各ボタン情報には、図６（Ｅ）に示すボタン位置情報（ＢＴＮ＿ＰＯＳＩ）、隣接ボタン位置情報（ＡＪＢＴＮ＿ＰＯＳＩ、ボタンコマンド（ＢＴＮ＿ＣＭＤ）等が含まれている。また、セット側（光ディスク再生装置側）はシステムパラメータとして各ＳＰＲＭ値を持っている。すなわち、図７に示すように、ＳＰＲＭ０にはメニュー記述言語コード、ＳＰＲＭ１にはオーディオストリーム番号、ＳＰＲＭ２にはサブピクチャ番号・・・などであり、ボタンに関して、ＳＰＲＭ８は、選択状態用ハイライ・トボタン番号が指定されている。これらの管理情報により、メニュー画面上の全てのボタンの位置情報（座標）が記憶され、ボタンがハイライトされた状態でズーム機能を用いた場合、ハイライトされたボタンの位置を検出し、ハイライトされているボタン以外をズームさせる。これにより、ハイライトされているボタンはズームしないからボタンとハイライトがずれないため、ボタンの選択操作に関して支障がない。
【図面の簡単な説明】
【００２９】
【図１】本発明の実施例１を示すメニュー画面の表示状態を示す参考図である。
【図２】同上、フローチャートである。
【図３】本発明の実施例２を示すメニュー画面の表示状態を示す参考図である。
【図４】同上、フローチャートである。
【図５】本発明の実施例３を示すメニュー画面の表示状態を示す参考図である。
【図６】本発明の実施例４を示すボタン位置情報の概略を示す説明図である。
【図７】同上、システムのパラメータを示す参考図である。
【符号の説明】
【００３０】
１，１ａ  ボタン
２    ハイライト
３    警告文
【図１】
2008054074.tif 000003
【図２】
2008054074.tif 000004
【図３】
2008054074.tif 000005
【図４】
2008054074.tif 000006
【図５】
2008054074.tif 000007
【図６】
2008054074.tif 000008
【図７】
2008054074.tif 000009